(57)【要約】【課題】造営物に損傷なく容易に取付け可能であり、また、造営物への埋込寸法を小さくすることができる埋込型照明器具を提供する。【解決手段】埋込型照明器具１は、光源１１が配設される筒状部５およびこの筒状部５の下端開口部５ａの周縁にフランジ６を有する器具本体３と、一端側４ａが器具本体３の筒状部５の外周面に固定され、他端側４ｂを中抜きして面積を変更することにより弾性変形による復帰力を変化させて筒状部５の周方向に弾性変形させ、他端側４ｂと器具本体３のフランジ６との間で前記開口穴７の縁部７ａを挟持して器具本体３を造営物２に固定する板バネ４，４とを具備する。【選択図】図１
2006172735.tif 000002
【特許請求の範囲】
【請求項１】
光源が配設される筒状部およびこの筒状部の下端開口部の周縁にフランジを有し、筒状部が造営物の開口穴に挿入される器具本体と；
一端側が器具本体の筒状部に固定され、中抜きして面積を変更することにより弾性変形による復帰力を変化させて器具本体のフランジとの間で前記開口穴の縁部を挟持して器具本体を造営物に固定する板バネと；
を具備していることを特徴とする埋込型照明器具。
【請求項２】
光源が配設される筒状部およびこの筒状部の下端開口部の周縁にフランジを有し、筒状部が造営物の開口穴に挿入される器具本体と；
一端側が器具本体の筒状部の外周面に固定され、他端側を中抜きして面積を変更することにより弾性変形による復帰力を変化させて筒状部の周方向に弾性変形させ、他端側と器具本体のフランジとの間で前記開口穴の縁部を挟持して器具本体を造営物に固定する板バネと；
を具備していることを特徴とする埋込型照明器具。
【請求項３】
板バネは、フランジとの間で前記開口穴の縁部を挟持する部位の他端側の端面が非直線的に形成されていることを特徴とする請求項２記載の埋込型照明器具。
【発明の詳細な説明】
【技術分野】
【０００１】
本発明は、天井などの造営物に埋設される埋込型照明器具に関する。
【背景技術】
【０００２】
ダウンライトは、天井等に埋設される照明器具であり、近年、光源として、電球や蛍光ランプに代わって発光ダイオード（ＬＥＤ）を具備したものが提案されている。ダウンライトは、従来、例えば板ばねを用いて天井等の造営物に保持させている。例えば、器具本体から上向き末広がり状に延出する複数の取付けばねを備え、この取付けばねで、天井材の開口穴の縁を蹴って器具本体を前記開口穴の箇所に取り付ける照明器具が提案されている（例えば、特許文献１参照。）。この従来技術の照明器具は、さらに天井材の上面側に載置された前記開口穴の周縁を補強する補強金具が設けられ、天井材の材質が岩綿吸音板などの柔らかい天井材であっても、天井材を損傷することなく取付けできるというものである。
【特許文献１】特開平１０−６９８１３号公報（第２頁、第１図）
【発明の開示】
【発明が解決しようとする課題】
【０００３】
特許文献１のダウンライトは、柔らかい天井材を有する天井に取り付けるときに天井の開口穴に補強金具を取り付けるので、天井材に適応する補強金具を準備する必要があるという欠点を有する。
【０００４】
また、天井への保持力を常に維持するために、上方に延出する取付けばねを長くして弾性復帰力を大きくすると、器具本体の高さ方向および横方向のそれぞれの寸法が大きくなり、天井の埋込空間が小さいと器具本体を取り付けることができないことがある。特に、光源として発光ダイオードを具備する照明器具は、高さ寸法を小さくすることが可能であるため、取付けばねにより高さ寸法が大きくなることは好ましくない。また、取付けばねの長さを小さくすると、剛性の取付けばねを用いる必要があり、この場合、ダウンライトを天井材の開口穴に挿入するときに、取付けばねを弾性変形させにくいという問題がある。
【０００５】
本発明は、造営物に損傷なく容易に取付け可能であり、また、造営物への埋込寸法を小さくすることができる埋込型照明器具を提供することを目的とする。
【課題を解決するための手段】
【０００６】
請求項１に記載の埋込型照明器具の発明は、光源が配設される筒状部およびこの筒状部の下端開口部の周縁にフランジを有し、筒状部が造営物の開口穴に挿入される器具本体と；一端側が器具本体の筒状部に固定され、中抜きして面積を変更することにより弾性変形による復帰力を変化させて器具本体のフランジとの間で前記開口穴の縁部を挟持して器具本体を造営物に固定する板バネと；を具備していることを特徴とする。
【０００７】
本発明および以下の各発明において、特に言及しない限り、各構成は以下による。
【０００８】
板バネは、平板状に限らず、波形などの非平板状であってもよい。
【０００９】
板バネは、一対あるいは複数個設けられていると、器具本体を安定的に造営物に固定することができるが、器具本体を造営物に固定することができれば１個であってもよい。
【００１０】
中抜きは、一段の他、複数段に形成することができる。中抜きを複数段に形成することにより、板バネの面積が複数段に変更可能であり、弾性復帰力を複数段にすることができる。すなわち、中抜きすることにより、板バネの弾性復帰力が容易に調整される。
【００１１】
中抜き部分は、例えば、その周縁の肉厚が薄くされていることにより、あるいは、その周縁が部分的に他端側の残余の部分と連結されていることにより、板バネの他端側から容易に中抜きされる。
【００１２】
本発明によれば、板バネを中抜きすることにより、板バネの面積が変更されて弾性復帰力が弱められ、板バネと器具本体のフランジとの間で造営物の開口穴の縁部を挟持する挟持力が小さくなる。したがって、柔らかい材質を有する造営物を損傷することなく、当該造営物に器具本体が固定される。
【００１３】
請求項２に記載の埋込型照明器具の発明は、光源が配設される筒状部およびこの筒状部の下端開口部の周縁にフランジを有し、筒状部が造営物の開口穴に挿入される器具本体と；一端側が器具本体の筒状部の外周面に固定され、他端側を中抜きして面積を変更することにより弾性変形による復帰力を変化させて筒状部の周方向に弾性変形させ、他端側と器具本体のフランジとの間で前記開口穴の縁部を挟持して器具本体を造営物に固定する板バネと；を具備していることを特徴とする。
【００１４】
板バネの他端側は、その下端が器具本体のフランジとの間で開口穴の縁部を挟持する部位となっている。板バネは、他端側の下端が筒状部の周方向に対して所定の角度を有するように取付けられる。すなわち、当該下端は、一端側から他端側へ筒状部の周方向に対して上方側に傾斜する傾斜辺を有している。当該傾斜辺を有することにより、傾斜辺の部位と器具本体のフランジとの間で開口穴の縁部が挟持可能となっている。そして、前記所定の角度は、開口穴の大きさや造営物の厚さなどに応じて、適宜設定される。例えば造営物の厚さが大きくなるにしたがい、前記所定の角度の値は大きくなる。
【００１５】
本発明によれば、器具本体を造営物の開口穴に挿入するときに、板バネの他端側は、筒状部の外周面に沿うように強制的に弾性変形される。そして、器具本体を造営物の開口穴に挿入した後、板バネの他端側を弾性変形させることが解除される。板バネの他端側は、弾性復帰するように移動する。このとき、板バネの他端側が造営物の開口穴の縁部に当接し、弾性復帰力により、器具本体のフランジとの間で開口穴の縁部を挟持する。これにより、器具本体は、造営物に保持されて、造営物の開口穴に取り付けられる。そして、器具本体は、造営物の材質などに応じて、板バネが中抜きされることにより、弾性復帰力が調整されて造営物に固定される。
【００１６】
請求項３に記載の埋込型照明器具の発明は、請求項２記載の埋込型照明器具において、板バネは、フランジとの間で前記開口穴の縁部を挟持する部位の他端側の端面が非直線的に形成されていることを特徴とする。
【００１７】
「非直線的に形成されている端面」とは、例えば波形、三角形あるいはコ字形などに形成された端面である。
【００１８】
端面の非直線的な形成は、板バネの他端側の下端の部位を変形して形成してもよく、板バネ全体が変形されたものであってもよい。
【００１９】
本発明によれば、板バネの他端側の端面が非直線的に形成されることにより、当該端面と造営物の開口穴の縁部との接触面積が大きくなる。この結果、板バネの他端側と器具本体のフランジとの間で造営物の開口穴の縁部を挟持する力が大きくなる。または、板バネの厚さを大きくすることが抑制される。
【発明の効果】
【００２０】
請求項１の発明によれば、板バネは、他端側が中抜き可能に形成されているので、造営物の材質などに応じて板バネの他端側を中抜きして弾性復帰力を調整することにより、造営物を損傷することなく、埋込型照明器具を取り付けることができ、埋込型照明器具に対する品質や信頼性を向上させることができる。
【００２１】
請求項２の発明によれば、板バネは、一端側が器具本体の筒状部の外周面に固定され、他端側が筒状部の周方向に弾性変形可能に形成されて、他端側と器具本体のフランジとの間で造営物の開口穴の縁部を挟持するので、板バネおよび器具本体の造営物への埋込寸法を小さくすることができ、埋込型照明器具を小形化することができる。
【００２２】
請求項３の発明によれば、板バネは、他端側の端面が非直線的に形成され、当該端面と造営物の開口穴の縁部との接触面積が大きくなっているので、器具本体を造営物の開口穴に固定する挟持力を大きくすることができる。または、板バネの厚さを大きくすることを抑制することができる。
【発明を実施するための最良の形態】
【００２３】
以下、本発明の一実施の形態について、図面を参照して説明する。
【００２４】
図１ないし図７は、本発明の第１の実施形態を示し、図１は埋込型照明器具の概略正面図、図２は埋込型照明器具の概略上面図、図３は板バネを示し、図３（ａ）は概略正面図、図３（ｂ）は概略下面図、図４は埋込型照明器具の概略正面断面図、図５はレンズを配設している状態の支持部材を示し、図５（ａ）は概略上面図、図５（ｂ）は概略正面断面図、図５（ｃ）は概略下面図、図６は発光ダイオードおよび支持部材を配設している状態の土台を示し、図６（ａ）は概略下面図、図６（ｂ）は概略上面図、図７は支持金具の概略底面図である。
【００２５】
図１において、埋込型照明器具１は、造営物としての天井２に埋設されるダウンライトであり、器具本体３および一対の板バネ４，４を有して構成されている。
【００２６】
器具本体３は、金属板例えばアルミニウム（Ａｌ）板からなり、筒状部としての円筒体５および円筒体５の下端開口部５ａの周縁にフランジ６を有して形成されている。そして、円筒体５は、天井２に形成された円形の開口穴７に挿入され、一対の板バネ４，４により天井２に固定されている。そして、図４に示すように、円筒体５の上端開口部５ｂには、蓋体８が着脱自在に配設されている。この蓋体８には、給電用の電気コード９を挿通する孔１０が形成されている。また、円筒体５は、内部に光源としての発光ダイオード１１、レンズ１２および支持部材１３などを収容している。
【００２７】
発光ダイオード１１は、例えば液晶ポリエステル（ＬＣＰ）樹脂からなる円形のパッケージ（ケース）１４内に１個が形成されている。発光ダイオード１１は、周知の白色光を放射する構造に形成され、発光部が半球状の例えばエポキシ樹脂により被覆されている。
【００２８】
レンズ１２は、例えばポリカーボネート（ＰＣ）樹脂、アクリル（ＰＭＭＡ）樹脂、ポリエチレン（ＰＥ）樹脂やポリプロピレン（ＰＰ）樹脂からなり、図５（ｂ）に示すように、回転軸（光軸）に対称な略放物体に形成され、頂部側１２ａに凹部１５を有している。そして、凹部１５の底面１５ａは、略円弧状のレンズ面に形成され、内面１５ｂは円筒状に形成されている。また、外周面１２ｂは、放物線の回転体の外面形状に略近似し、前面１２ｃは、平坦面に形成されている。前面１２ｃは、凹部１５に対向する投光面であり、凹部１５と前面１２ｃとの間の外周面１２ｂは、反射面に形成されている。
【００２９】
支持部材１３は、図５に示すように、内部が貫通され外形が円柱体に形成された円柱部１６に一対の支持部１７，１７が一体的に形成されている。そして、円柱部１６の内部には、下側に向かうにしたがい直径が大きくなる複数の円状の段差１８が形成されている。また、支持部１７，１７は、それぞれ脚部１７ａおよび取付部１７ｂを有して形成されている。取付部１７ｂ，１７ｂは、それぞれ脚部１７ａの先端から支持部材１３の内方にかつ水平方向に突出され、当該先端１７ｂｂ，１７ｂｂが対向するように形成されている。ここで、先端１７ｂｂ，１７ｂｂは、円弧状に形成されている。そして、取付部１７ｂ，１７ｂには、それぞれ後述のねじ３１が螺着される螺合部１９が貫通して形成されている。
【００３０】
そして、支持部材１３は、段差１８の最上側の段差１８ａに前面１２ｃ側を嵌め込むようにしてレンズ１２を支持し、かつ内部空間に収容している。
【００３１】
そして、発光ダイオード１１および支持部材１３は、図６（ａ）に示すように、土台２０の一方の面２０ａにおいて位置決めされて、それぞれ土台２０に直接的または間接的に配設されている。
【００３２】
土台２０は、金属例えばアルミニウム（Ａｌ）からなり、器具本体３の円筒体５の内直径より幾分小さい直径を有する円柱状に形成されている。土台２０の一方の面２０ａの中心部の領域には、所定の幅および長さを有する円弧状の一対の凸部２１，２１が対向するようにして突出されている。
【００３３】
そして、発光ダイオード１１のパッケージ１４は、一対の凸部２１，２１間に嵌め込まれるようにして、土台２０に熱伝導性の接着材により固着されている。すなわち、一対の凸部２１，２１の内周面とパッケージ１４の外周面が当接あるいは近接するようにしている。これにより、発光ダイオード１１は、土台２０の中心点の部位に配設されている。
【００３４】
また、支持部材１３の一方の取付部１７ｂの側面が土台２０から突出している円柱状の凸部２２に当接し、一対の凸部２１，２１の外周面に支持部材１３のそれぞれの取付部１７ｂ，１７ｂの先端１７ｂｂ，１７ｂｂが当接あるいは近接するようにして、支持部材１３が土台２０に配設されるようにしている。このとき、支持部材１３に支持されているレンズ１２の凹部１５内に発光ダイオード１１が所望の高さに納まるようにして挿入される。
【００３５】
そして、土台２０の一方の面２０ａの残余の部分には、一対の扇形の基板２３，２３が貼付あるいはねじ止めされている。基板２３，２３のそれぞれの表面には配線パターン（図示しない。）が形成されている。それぞれの配線パターンの一端は、パッケージ１４から導出された一対のリード２４，２４がそれぞれ半田付けされている。また、それぞれの配線パターンの他端において、土台２０および基板２３，２３を貫通する一対の孔（図示しない。）が形成され、この孔に土台２０の他方の面２０ｂから電源コード９のリード線２５，２５が挿入されている。そして、それぞれの配線パターンの他端は、リード線２５，２５が半田付けされている。すなわち、電源コード９のリード線２５，２５は、基板２３，２３の配線パターンおよびリード２４，２４を介して発光ダイオード１１のそれぞれの電極（図示しない。）に接続されている。
【００３６】
電源コード９のリード線２５，２５は、図６（ｂ）に示すように、土台２０の他方の面２０ｂに形成されている凹溝２６の一端側２６ａに集合されている。そして、一方のリード線２５ａは、押え板２７，２７により凹溝２６に埋設され、押え板２７，２７とともに土台２０の他方の面２０ｂから外方に突出しないようにされている。
【００３７】
また、土台２０には、一対の貫通孔２７，２７が形成されている。この貫通孔２７，２７は、支持部材１３が上述したように土台２０に配設されているときに、取付部１７ｂ，１７ｂに形成されている螺合部１９，１９に対向するように、かつ螺合部１９，１９に螺着されるねじ３１が挿通する大きさに形成されている。
【００３８】
そして、土台２０は、図４に示すように、器具本体３の円筒体５内に配設された有底円筒の支持金具２８に取り付けられている。支持金具２８の底面２８ａには、図７に示すように、一端部側に電気コード９を挿通する孔２９が形成され、孔２９の左右９０°の端部側に土台２０の一対の貫通孔２７，２７に対向する一対の貫通孔３０，３０が形成されている。そして、一対の貫通孔２７，２７および一対の貫通孔３０，３０には、支持金具２８の底面２８ａからねじ３１が挿通されている。
【００３９】
ねじ３１は、さらに支持金具１３のねじ部１９，１９に螺着される。すなわち、図４に示すように、支持部材１３の取付部１７ｂ，１７ｂが土台２０の一方の面２０ａに当接し、土台２０の他方の面２０ｂが支持金具２８に当接し、さらにねじ３１の頭部３１ａが支持金具２８の底面２８ａに当接する。また、支持部材１３の最下側の段差１８ｂが円筒体５の下端開口部５ａに位置する。こうして、レンズ１２を支持している支持部材１３は、ねじ３１により、土台２０とともに支持金具２８に固定されている。
【００４０】
そして、有底円筒の支持金具２８は、器具本体３の円筒体５の内部にリベット３２，３２により取り付けられている。支持金具２８の配設位置は、上述したように、ねじ３１により支持部材１３が支持金具２８に取付けられたときに支持部材１３の最下側の段差１８ｂが円筒体５の下端開口部５ａに位置するように設定されている。
【００４１】
そして、支持部材１３は、図５（ａ）に示すように、取付部１７ｂ，１７ｂの先端１７ｂｂ，１７ｂｂが土台２０の一対の凸部２１，２１の外周面に当接あるいは近接するようにして土台２０に配設されている。また、発光ダイオード１１のパッケージ１４は、一対の凸部２１，２１間に嵌め込まれるようにして土台２０に配設されている。これにより、レンズ１２の凹部１５内に発光ダイオード１１が挿入されている。この結果、発光ダイオード１１およびレンズ１２の光軸合わせの調整が必然的に行われて、それぞれの光軸が一致されている。
【００４２】
図１において、器具本体３は、一対の板バネ４，４の弾性復帰力により、板バネ４，４とフランジ６との間で天井２に形成された開口穴７の縁部７ａが挟持されることにより、天井７に固定されている。
【００４３】
板バネ４は、図３（ａ）に示すように、一端側４ａが略四角形、他端側４ｂが略三角形に形成された金属製例えば鉄製の平板からなっている。そして、一端側４ａの中央部に孔３３が形成されている。また、他端側４ｂの下端４ｂｂは、図３（ｂ）に示すように、その端面４ｂｃが所定長に亘って略三角形状に形成されている。すなわち、他端側４ｂの端面４ｂｃは、下端４ｂｂの長手方向に対して非直線的に形成されている。他端側４ｂの下端４ｂｂは、略三角形状の斜辺となっている。
【００４４】
また、板バネ４の他端側４ｂは、略三角形状の孔４４が形成され、この孔４４の外側に孔４４の相似形の輪郭４５が形成されている。輪郭４５は、平板の肉厚を薄くして形成している。孔４４の縁部４４ａは、当初、同様に輪郭に形成されていたものである。そして、板バネ４の他端側４ｂを当該輪郭に沿って中抜きすることによって、孔４４が形成されたものである。板バネ４は、孔４４の外側に形成された輪郭４５に沿って中抜き可能であり、他端側４ｂに孔４４よりさらに大きな略三角形状の孔を形成することができる。
【００４５】
板バネ４は、孔４４の形成により他端側４ｂの面積が変更されている。板バネ４は、自身の面積が相対的に大きくなると弾性変形による復帰力が大きくなり、逆に小さくなると弾性変形による復帰力が小さくなるものである。すなわち、板バネ４は、他端側４ｂを中抜きして面積を変更することにより弾性変形による復帰力が変化される。こうして、器具本体３が固定される天井２などの造営材の材質や厚さなどに応じて中抜きされ、弾性変形による復帰力が調整される。
【００４６】
そして、一対の板バネ４，４は、図１に示すように、円筒体５の外周面の互いに１８０°異なる位置において、他端側４ｂが互いに１８０°異なる方向を向くようにして、円筒体５の下部側の外周面に取り付けられている。すなわち、板バネ４の一端側４ａの孔３３にねじ４６が挿通され、ねじ４６が円筒体５に形成された螺合部（図示しない。）に螺着されている。これにより、板バネ４は、一端側４ａが円筒体５の外周面に固定されている。
【００４７】
そして、板バネ４の他端側４ｂの下端４ｂｂが円筒体５の周方向に対して所定の角度を有し、下端４ｂｂの端面４ｂｃが開口穴７の縁部７ａに当接するように、一端側４ａが円筒体５に固定されている。すなわち、板バネ４の他端側４ｂは、略三角形状に形成され、当該下端４ｂｂが円筒体５の周方向に対して所定の角度を有するように、略三角形状の斜辺に形成されている。ここで、所定の角度は、開口穴７の大きさ、天井２の厚さおよび板バネ４の取付位置などに応じて適宜設定されればよい。
【００４８】
板バネ４の他端側４ｂは、一端側４ａが円筒体５に固定されたときに、円筒体５の周方向に弾性変形可能となっている。そして、弾性変形された他端側４ｂは、弾性変形が解除されたときに元の状態に弾性復帰しようとする。このときの弾性復帰力は、他端側４ｂにおける中抜きの有無、中抜きの大きさに応じて異なっている。
【００４９】
そして、円筒体５（器具本体３）は、板バネ４の他端側４ｂの弾性復帰力により、他端側４ｂの下端４ｂｂとフランジ６との間で開口穴７の縁部７が挟持されることにより、天井２に固定されている。
【００５０】
次に、本発明の一実施の形態の作用について述べる。
【００５１】
器具本体３の円筒体５が天井２の開口穴７に挿入されるときに、図２に示すように、板バネ４，４は、他端側４ｂ，４ｂが開口穴７の内側となるように例えば手で弾性変形される。そして、円筒体５が開口穴７に挿入されて、少なくとも板バネ４，４の他端側４ｂ，４ｂの先端部４ｂｄが天井２の背面２ａの位置より深く天井２内に挿入されたときに、板バネ４，４の他端側４ｂ，４ｂの弾性変形を解除する。
【００５２】
板バネ４，４の他端側４ｂ，４ｂは、弾性変形される元の状態に復帰しようとする。このとき、他端側４ｂ，４ｂの下端４ｂｂ，４ｂｂの端面４ｂｃ，４ｂｃが開口穴７（天井２）の縁部に当接する。そして、他端側４ｂ，４ｂの弾性復帰力により、他端側４ｂ，４ｂの下端４ｂｂ，４ｂｂは、開口穴７（天井２）の周縁部に沿って移動し、当該縁部に当接する端面４ｂｃ，４ｂｃは、次第に他端部４ｂ，４ｂから一端側４ａ，４ａの部位に移動していく。
【００５３】
そして、円筒体５は、天井２の内部側に移動し、器具本体３のフランジ６の上面が天井２に当接する。こうして、図１に示すように、板バネ４，４の他端側４ｂ，４ｂの弾性復帰力により、当該下端４ｂｂ，４ｂｂの端面４ｂｃ，４ｂｃとフランジ６との間で開口穴７の縁部７ａが挟持され、器具本体３が天井２に固定される。
【００５４】
そして、板バネ４，４は、図３（ｂ）に示すように、下端４ｂｂ，４ｂｂの端面４ｂｃ，４ｂｃが非直線的に形成されているので、端面４ｂｃ，４ｂｃが直線的に形成される場合に比べて、開口穴７の縁部７ａに当接している端面４ｂｃ，４ｂｃの面積が大きくなっている。この結果、端面４ｂｃ，４ｂｃとフランジ６との間で開口穴７の縁部７ａを挟持する挟持力が大きくなり、器具本体３が天井２に安定して固定される。また、端面４ｂｃ，４ｂｃの当接面積（接触面積）が大きくなることにより、他端側４ｂ，４ｂの弾性復帰力が開口穴７の縁部７ａに安定して伝達され、フランジ６との間で開口穴７の縁部７ａが安定的に挟持される。
【００５５】
また、板バネ４，４は、図３（ａ）に示すように、他端側４ｂ，４ｂに略三角形状の孔３３が形成されて面積が変更され、適宜の弾性復帰力を有するように調整されている。これにより、開口穴７の縁部７ａに当接する端面４ｂｃ，４ｂｃの当接力が適宜な値となり、端面４ｂｃ，４ｂｃがフランジ６との間で開口穴７の縁部７ａを挟持しているときに当該縁部７ａを損傷することが抑制され、また、端面４ｂｃ，４ｂｃが開口穴７の周縁部に沿って移動しているときに、当該周縁部を損傷することが抑制される。また、板バネ４，４の他端側４ｂ，４ｂを弾性変形させやすく、器具本体３の円筒体５および板バネ４，４が天井２の内部に容易に挿入される。
【００５６】
そして、板バネ４，４は、他端側４ｂ，４ｂに形成されている輪郭３４，３４に沿って中抜きすることにより、弾性復帰力がさらに弱められる。これにより、器具本体３は、石膏ボードなどの柔らかい材質を有する天井２に、当該天井２が損傷されることなく取付けられる。
【００５７】
また、板バネ４，４は、板厚が厚くなる分、弾性変形しにくくなるが、他端側４ｂ，４ｂが中抜きされることにより、弾性変形しやすくなるものである。
【００５８】
上述したように、板バネ４，４は、円筒体５の周方向に弾性変形、弾性復帰するようにして円筒体５に取付けられ、他端側４ｂ，４ｂの下端４ｂｂ，４ｂｂとフランジ６との間で開口穴７の縁部７ａを挟持して器具本体３を天井２などの造営物に固定するように形成されている。これにより、埋込型照明器具１は、造営物に取付けられたときに、板バネ４，４が高さ方向および横方向の埋込空間を占有しない。すなわち、埋込型照明器具１は、小形化され、造営物への埋込寸法が小さくなっており、埋込空間の小さい造営物に取付けることができる。
【００５９】
また、埋込型照明器具１は、器具本体３を造営物に挿入するときに、板バネ４，４を円筒体５の周方向に弾性変形させ、他端側４ｂ，４ｂの先端部４ｂｄ，４ｂｄが造営物の背面に達した位置で当該弾性変形を解除することにより、造営物に取付けられるので、当該取付けが容易であり、省力化を図ることができる。
【００６０】
なお、上記一実施の形態において、板バネ４，４は、他端側４ｂ，４ｂが略三角形状に形成されているが、これに限らず、任意の形状を許容する。板バネ４，４は、弾性変形および弾性復帰し、他端側４ｂ，４ｂの下端４ｂｂ，４ｂｂが円筒体５の周方向に対して所定の角度を有する形成されていればよい。例えば、板バネ４，４は、長方形状の平板であってもよい。このとき、長方形状の下辺（他端側４ｂ，４ｂの下端４ｂｂ，４ｂｂ）が円筒体５の周方向に対して所定の角度を有するようにして、一端側４ａが円筒体５に固定される。
【００６１】
次に、本発明の第２の実施形態について説明する。
【００６２】
図８は、本発明の第２の実施形態を示す埋込型照明器具を示し、図８（ａ）は概略正面断面図、図８（ｂ）は概略上面図である。なお、図４と同一部分には同一符号を付して説明は省略する。
【００６３】
図８に示す埋込型照明器具４７は、図４に示す埋込型照明器具１において、一対の板バネ４，４に代えて一対の板バネ４８，４８が配設されたものである。一対の板バネ４８，４８は、それぞれ側面視両端部が僅かに屈曲して略へ字状に折曲されて形成されている。そして、一対の板バネ４８，４８の一端側４８ａ，４８ａが器具本体３の円筒体５の下部側に固定され、他端側４８ｂ，４８ｂが器具本体３の左右方向に広がっている。
【００６４】
板バネ４８は、他端側４８ｂに中抜きして形成された長方形状の孔４９を有し、他端側４８ｂの面積が変更されている。これにより、弾性変形による復帰力が調整されている。また、孔４９の外側に長方形状の輪郭５０が形成されており、輪郭５０に沿って中抜きすることにより、さらに弾性変形による復帰力を変化させることができるようにしている。
【００６５】
一対の板バネ４８，４８は、他端側４８ｂ，４８ｂが器具本体３の円筒体５側に弾性変形されて、円筒体５とともに天井２の開口穴７に挿入される。そして、他端側４８ｂ，４８ｂと器具本体３のフランジ６との間で開口穴７の縁部７ａ，７ａを挟持して器具本体３を天井２に固定する。
【図面の簡単な説明】
【００６６】
【図１】本発明の第１の実施形態を示す埋込型照明器具の概略正面図。
【図２】同じく、埋込型照明器具の概略上面図。
【図３】同じく、板バネを示し、（ａ）は概略正面図、（ｂ）は概略下面図。
【図４】同じく、埋込型照明器具の概略正面断面図
【図５】同じく、レンズを配設している状態の支持部材を示し、（ａ）は概略上面図、（ｂ）は概略正面断面図、（ｃ）は概略下面図。
【図６】同じく、発光ダイオードおよび支持部材を配設している状態の土台を示し、（ａ）は概略下面図、（ｂ）は概略上面図。
【図７】同じく、支持金具の概略底面図。
【図８】本発明の第２の実施形態を示す埋込型照明器具を示し、（ａ）は概略正面断面図、（ｂ）は概略上面図。
【符号の説明】
【００６７】
１，４７…埋込型照明器具
３…器具本体
４，４８…板バネ
【図１】
2006172735.tif 000003
【図２】
2006172735.tif 000004
【図３】
2006172735.tif 000005
【図４】
2006172735.tif 000006
【図５】
2006172735.tif 000007
【図６】
2006172735.tif 000008
【図７】
2006172735.tif 000009
【図８】
2006172735.tif 000010